(57)【要約】【課題】部分的ブロックの膨れだしや応力集中を避けることができて崩壊する恐れがなく、きわめて安定した補強土構造物および壁面ブロックを提供する。【解決手段】複数の壁面ブロック１を積層して壁体Ａを構成し、その背部に盛土２を充填する。壁体Ａと盛土２との間に砕石２ａを一定厚充填する。盛土２および砕石２ａ内に金属製の盛土補強材３を複数層に埋設する。盛土補強材３の端部３ａを壁面ブロック１に連結する。盛土補強材３の壁体Ａ側を砕石２ａ内に埋設する。【選択図】　　　　　　　図１
2004060220.tif 000002
【特許請求の範囲】
【請求項１】
複数の壁面ブロックを積層して壁体とし、その背部に盛土を充填し、前記盛土内に金属製の盛土補強材を複数層に埋設し、かつその端部を前記壁体に連結してなる補強土構造物において、前記壁体と盛土との間に礫または砕石を一定厚充填し、該礫または砕石内に前記盛土補強材の壁体側を埋設してなることを特徴とする補強土構造物。
【請求項２】
盛土補強材として棒状、帯状または網状の盛土補強材を盛土の定着領域に埋設してなることを特徴とする請求項１記載の補強土構造物。
【請求項３】
複数の壁面ブロックを積層して壁体とし、その背部に盛土を充填し、かつ前記盛土内に盛土補強材としてジオテキスタイルを複数層に埋設してなる補強土構造物において、前記壁体と盛土との間に礫または砕石を一定厚充填し、前記ジオテキスタイルを前記壁体に金属製の連結部材を介して連結し、かつ前記礫または砕石内に前記連結部材を埋設してなることを特徴とする補強土構造物。
【請求項４】
礫または砕石は、壁面ブロックの壁体背面から２０から１００ｃｍの範囲内に充填してなることを特徴とする請求項１〜３のいずれかに記載の補強土構造物。
【請求項５】
壁面ブロックどうしはインターロッキングによって組み合わせてなることを特徴とする請求項１〜４のいずれかに記載の補強土構造物。
【請求項６】
盛土補強材は壁面ブロックにインターロッキングによって組合わせてなることを特徴とする請求項１〜５のいずれかに記載の補強土構造物。
【請求項７】
横方向に隣接する複数の壁面ブロックの上面部に連結溝が連続して形成され、該連結溝に連結部材が横方向に連続して挿入されてなることを特徴とする請求項１〜６のいずれかに記載の補強土構造物。
【請求項８】
壁面ブロックの奥行きをｗ０　、礫または砕石の層の厚さをｗ１　、およびｗ０　＋ｗ１　＝ｗとし、盛土補強材が接触または連結された壁面ブロックの上面と下面との間の高さをΔＨ、同じくそのセットバックの量をｗ２　、盛土補強材が接触または連結されたブロック層の間に積層され、かつ盛土補強材が連結も接触もしていない壁面ブロックの数をｍとしたとき、ΔＨ：ｗ２　＝１：０〜Ｈ：ｗ０　、０≦ｍ≦２、ｗ≧４０ｃｍ、ｗ０　≧２０ｃｍとしてあることを特徴とする請求項１〜７のいずれかに記載の補強土構造物。
【請求項９】
壁面ブロックおよび／または隣接する壁面ブロック間に空洞部を設け、当該空洞部内に礫または砕石を充填してなることを特徴とする請求項１〜８のいずれかに記載の補強土構造物。
【請求項１０】
盛土補強材の層数は壁面ブロックの層数より少ないことを特徴する請求項１〜９のいずれかに記載の補強土構造物。
【請求項１１】
横方向に隣接する壁面ブロックとして、盛土補強材の連結された壁面ブロックと盛土補強材の連結されない壁面ブロックが積層されてなることを特徴する請求項１〜１０のいずれかに記載の補強土構造物。
【請求項１２】
盛土補強材は、上下壁面ブロック間に埋設されてなることを特徴とする請求項１〜１１のいずれかに記載の補強土構造物。
【請求項１３】
盛土補強材は盛土内部の定着領域まで設置されている盛土補強材と壁面ブロックの背部付近に埋設された盛土補強材とからなることを特徴とする請求項１〜１２のいずれかに記載の補強土構造物。
【請求項１４】
盛土補強材は、壁面ブロックに設けられた溝部に挿入することにより壁体に連結されてなることを特徴とする請求項１〜１３のいずれかに記載の補強土構造物。
【請求項１５】
盛土補強材は、壁面ブロックに直接または連結金具を介して連結してなることを特徴とする請求項１〜１４のいずれかに記載の補強土構造物。
【請求項１６】
盛土補強材の両端のうち少なくとも一端はＬ型に形成され、かつ壁面ブロックまたは支圧ブロックに形成された溝部または孔に定着されてなることを特徴とする請求項１〜１５のいずれかに記載の補強土構造物。
【請求項１７】
盛土補強材は少なくとも亜鉛メッキ、合成樹脂被覆または合成樹脂保護管防食処理が施されてなることを特徴とする請求項１〜１６のいずれかに記載の補強土構造物。
【請求項１８】
壁面ブロックはセットバックさせて積層してなることを特徴とする請求項１〜１７のいずれかに記載の補強土構造物。
【請求項１９】
壁面ブロックは定着溝を有することを特徴とする請求項１〜１８のいずれかに記載の補強土構造物。
【請求項２０】
壁面ブロックは左右隣接する溝をなし、該連結溝に左右隣接する壁面ブロックにまたがって連結棒を挿入してなることを特徴とする請求項１〜１９のいずれかに記載の補強土構造物。
【請求項２１】
壁面ブロックはやぶれ目地に積層してなることを特徴とする請求項１〜２０のいずれかに記載の補強土構造物。
【請求項２２】
盛土補強材の一端は壁面ブロックの溝部または孔内に固結材によって定着されてなることを特徴とする請求項１〜２１のいずれかに記載の補強土構造物。
【請求項２３】
盛土補強材の他端は支圧ブロックの溝部または孔内に固結材によって定着されてなることを特徴とする請求項１〜２２のいずれかに記載の補強土構造物。
【請求項２４】
階段状に積層した壁面ブロックによる壁面の間の盛土内に植裁を施してなることを特徴とする請求項１〜２３のいずれかに記載の補強土構造物。
【請求項２５】
盛土補強材の他端は地山、コンクリート構造物またはモルタル吹付層の孔内に固結材によって定着されてなることを特徴とする請求項１〜２４のいずれかに記載の補強土構造物。
【請求項２６】
請求項１〜２５のいずれかに記載の補強土構造物に用いられる壁面ブロックであって、表面フランジと背面フランジとウェブ、または表面フランジとウェブとから形成されていることを特徴とする壁面ブロック。
【請求項２７】
植栽用空洞部が設けられていることを特徴とする請求項２６記載の壁面ブロック。
【発明の詳細な説明】
【０００１】
【発明の属する技術分野】
本願発明は、複数の壁面ブロックを積層して壁体を構成し、この壁体の背部に盛土を充填し、かつこの盛土内に金属製の盛土補強材を複数層に埋設して構築される補強土構造物および壁面ブロックに関するものである。
【０００２】
【従来の技術】
例えば図２４（ａ），（ｂ）は、道路や敷地などに面する擁壁として構築された補強土構造物の一例を示し、図２４（ａ）において直方体形に成形された小型のコンクリートブロック２０（以下「ブロック２０」という）が、壁面ブロックとして複数段に積層され、その背部に盛土２１が充填されている。
【０００３】
また、盛土２１内にジオテキスタイル等の合成樹脂ネットからなる盛土補強材２２が複数層に埋設され、各盛土補強材２２の先端側２２ａは上下ブロック２０，２０間に挟む等してそれぞれ定着されている。
【０００４】
しかし、盛土補強材２２としてジオテキスタイルを用いた場合、ジオテキスタイルのクリープ量が大きいという問題があった。また、ジオテキスタイルは砕石を礫の上に設置すると角部が当って転圧時に破断されやすいという問題があった。また、図２４（ｂ）に図示するように、盛土補強材２２が直接連結されていないブロック層２０Ａが土圧や地震荷重によって壁面の外側にとび出してしまうという局部変位の問題があった。
【０００５】
また、図２５に図示する例の場合、壁面ブロックとしてそれ自体自立しえない鉄筋コンクリートパネル２３（以下「パネル２３」という）が互いに連結棒２４によって連結しつつ複数段に積層され、かつ各パネル２３ごとに連結ボルト２５によって連結された金属製の盛土補強材２６が盛土２１内に埋設されている。
【０００６】
このようなパネル方式の補強土構造物の場合、パネル２３ごとに盛土補強材２６が連結されているため、パネル２３と盛土２１との一体性はすぐれているが、パネル２３が大型でしかも薄いため施工時の安定性が悪く、このため壁面が変形しやすく、特に不安定な地形条件においては重機を使用しなければならないため、作業性が悪いという問題があった。
【０００７】
またこの場合、コンクリートパネルに連結された補強材は盛土の転圧による圧縮によって剛性のコンクリートパネルを垂直方向に相対変位を生じてコンクリートパネルが破壊するが、補強材とコンクリートパネルの連結部が破断するという問題が生じる。また、螺着による補強材の連結は螺着部で亜鉛メッキが過不足しやすく作業性のトラブルと防食上の問題が生ずる。
【０００８】
ところで、ブロックを用いた補強土構造物の壁面の安定について詳述すると、例えばパネル方式の補強土の場合、一般に一辺１．５ｍ、厚さ８ｃｍ（１．５×１．５＝２．２５ｍ２　）に形成された正方形のパネル２３が、幅１０ｃｍ、厚さ３ｍｍの断面形状に形成された４本の帯状盛土補強材２６を介して盛土２１との一体化が図られている。
【０００９】
この土圧条件で、幅４０ｃｍ、高さ２０ｃｍ、奥行き３０ｃｍのブロック２０を用いるとすると、表面積は０．２×０．４＝０．０８ｍ２　であるから、２８（２．２５÷０．０８）個のブロックを必要とする。
【００１０】
したがって、４個のブロック２０が帯状盛土補強材で固定されているとすると、２８個−４個＝２４個は盛土補強材で固定されていないことになるため、盛土補強材で固定されないブロック２０の安定性が問題になる。
【００１１】
このため従来、例えば図２４（ａ）に図示するように、盛土２１内に盛土補強材２２としてジオテキスタイルを複数層に敷設し、その一端２２ａを上下ブロック２０，２０間に挟んでブロック２０に連結することで、少なくとも横方向に隣接するブロック２０どうしはジオテキスタイルを介して盛土２１と共に一体化されていた。
【００１２】
しかし、盛土補強材２０の連結されていないブロック層が盛土と一体化されないという問題があり、さらに盛土補強材２０としてジオテキスタイルを用いた場合、ジオテキスタイルのクリープによって壁面が変位しやすいという問題があり、これを解決するにはクリープを生じない金属製の盛土補強材を使用することが望ましい。
【００１３】
しかし、金属製の盛土補強材として帯状補強材や棒状補強材（鉄筋網も含む）が一般に用いられるため、横方向ブロック層において盛土補強材が連結されていないブロックが生じ、そのブロックの安定性に問題があった。
【００１４】
また、金属製の盛土補強材は曲げ剛性が大きいことからブロック背部の盛土が沈下した場合、ブロック壁面自体は剛体のためブロック壁と盛土間に相対変位が生じ、このため金属製の盛土補強材に、壁面ブロックとの連結部から１ｍ付近迄の間に大きな曲げモーメントが生じ、しかもその範囲に曲げモーメントが集中するとともに盛土補強材に生ずる曲げモーメントによって盛土補強材が曲げ降伏を生じたり、ブロックに作用して盛土補強材の壁面ブロックが上方に力が作用して変位しやすくなるという可能性があった。
【００１５】
一方、ブロック２０を用いる補強土工法は、パネル等を使用したパネルタイプのものと違って、ブロック２０がほぼ直方体形に成形されていることで自立性を有し、しかも各ブロック２０が小型に成形されていることで、水平方向に撓み性を有し、軽量で運搬や積層などの面で取り扱い易く地形の悪いところでも施工性がよい等の長所がある。
【００１６】
しかし、一方、盛土の沈下によって剛性の大きい鋼製盛土補強材に生ずる大きな曲げモーメントがブロック２０壁面の安定に好ましくないという課題があった。
【００１７】
また、複数のブロック２０からなるブロック層にはそれぞれ盛土補強材２２によって固定されている層と固定されていない層が存在するため、盛土補強材２２で固定されていないブロック層の安定性の問題があった。即ち、その層が土圧や地震の作用により外側に外れてしまう等の危険があった。
【００１８】
【発明が解決しようとする課題】
上述したように、従来のブロック方式の補強土工法では、盛土補強材２２で固定されないブロック２０が、地震時などに盛土２１側からの土圧で押し出されないような壁体を構築することが求められる。
【００１９】
特に、地震時に上下方向に荷重が作用した際、上下のブロック２０，２０間の摩擦が低減されることから、盛土補強材２２で固定されていないブロック２０が前に押し出されるだけでなく、盛土補強材２２がブロック２０から外れるおそれがあり、かといって、ブロック２０のすべてを盛土補強材２２でそれぞれ固定するとすると、盛土補強材２２の数量が大幅に増え、施工が面倒になるのみならず過大設計になってしまう等の課題があった。
【００２０】
本願発明は、以上の課題を解決するためになされたもので、特に剛性の大きな鋼製の盛土補強材を用いて安定性にすぐれた補強土構造物を提供することを目的とし、特に盛土補強材で固定されないブロックが適当に混在して積層され、しかも盛土補強材で固定されないブロックが適当に混在した状態で、沈下性の大きい現場発生材を用いても金属製の盛土補強材に大きな曲げが発生しにくく、補強材が曲げによって破断するのを防止し、盛土補強材が存在していないブロック層区間の局部安定を保ち、全体として一体の壁体を構築せしめ、不均質な土圧が作用したり、あるいは大地震にあっても目地部でわずかの変位を許容する程度で、部分的ブロックの膨れだしを応力集中を避けることができて崩壊する恐れがなく、きわめて安定した補強土構造物を提供することを目的とするものである。
【００２１】
【課題を解決するための手段】
請求項１記載の補強土構造物は、複数の壁面ブロックを積層して壁体とし、その背部に盛土を充填し、前記盛土内に金属製の盛土補強材を複数層に埋設し、かつその端部を前記壁体に連結してなる補強土構造物において、前記壁体と盛土との間に礫または砕石を一定厚充填し、該礫または砕石内に前記盛土補強材の壁体側を埋設してなることを特徴とするものである。
【００２２】
この場合の壁面ブロックとして、湿式方式で製造した壁面ブロックまたは乾式方式による壁面ブロックを用いることができる。また、金属製の盛土補強材としては棒状、帯状または網状の盛土補強材、例えば鉄筋バー、鉄筋バーの端部に支圧プレートを連結した支圧アンカー、帯鋼、鉄筋グリッド等を用いることができる。さらに、礫または砕石としては、最大粒子４０ｍｍ程度までのものが大小様々均等に含有しているものがよい。
【００２３】
請求項２記載の補強土構造物は、請求項１記載の補強土構造物において、金属製の盛土補強材として棒状、帯状または網状の盛土補強材を盛土定着領域に埋設してなることを特徴とするものである。
【００２４】
請求項３記載の補強土構造物は、複数の壁面ブロックを積層して壁体とし、その背部に盛土を充填し、かつ前記盛土内に盛土補強材としてジオテキスタイルを複数層に埋設してなる補強土構造物において、前記壁体と盛土との間に礫または砕石を一定厚充填し、前記ジオテキスタイルを前記壁体に金属製の連結部材を介して連結し、かつ前記礫または砕石内に該連結部材を埋設してなることを特徴とするものである。
【００２５】
請求項４記載の補強土構造物は、請求項１〜３のいずれかに記載の補強土構造物において、礫または砕石は壁面ブロックの壁体背面から２０〜１００ｃｍの範囲内に充填してなることを特徴とするものである。
【００２６】
請求項５記載の補強土構造物は、請求項１〜４のいずれかに記載の補強土構造物において、壁面ブロックどうしはインターロッキングによって組み合わせてなることを特徴とするものである。
【００２７】
請求項６記載の補強土構造物は、請求項１〜５のいずれかに記載の補強土構造物において、盛土補強材は壁面ブロックにインターロッキングによって組合わせてなることを特徴とするものである。
【００２８】
請求項７記載の補強土構造物は、請求項１〜６のいずれかに記載の補強土構造物において、横方向に隣接する複数の壁面ブロックの上面部に連結溝が連続して形成され、該連結溝に連結部材が横方向に連続して挿入されてなることを特徴とするものである。
【００２９】
請求項８記載の補強土構造物は、請求項１〜７のいずれかに記載の補強土構造物において、壁面ブロックの奥行きをｗ０　、礫または砕石の層の厚さをｗ１　、そしてｗ０　＋ｗ１　＝ｗとし、盛土補強材が接触または連結している壁面ブロックの上面と下面間の高さをΔＨ、同じくその間のセットバックの量をｗ２　、盛土強材が接触または連結してなる壁面ブロック層間にある補強材が接触も連結もしていない壁面ブロックの数をｍとしたとき、ΔＨ：ｗ２　＝１：０〜Ｈ：ｗ０　、０≦ｍ≦２、ただしｗ≧４０ｃｍ、ｗ０　≧２０ｃｍ、ｗ１　≧２０ｃｍ、ｍ≦２となるように構築してなることを特徴とするものである。
【００３０】
このような寸法比で構築することで、例えば図２１や図２２に図示するように背面土圧のみならず地震時においても壁面ブロックが抜け出ないきわめて安定した補強土構造物をきわめて経済的に構築することができる。
【００３１】
また、壁面を直立に出来るのみならずセットバックする事によって圧迫感をなくし、かつ構造的安定を可能にするため、生活環境に優しい都市景観を出現せしめる事が出来る。
【００３２】
請求項９記載の補強土構造物は、請求項１〜８のいずれかに記載の補強土構造物において、各壁面ブロックおよび／または隣接する壁面ブロック間に空洞部を設け、当該空洞部内に礫または砕石を充填してなることを特徴とするものである。
【００３３】
請求項１０記載の補強土構造物は、請求項１〜９のいずれかに記載の補強土構造物において、盛土補強材の層数は壁面ブロックの層数より少ないことを特徴するものである。
【００３４】
請求項１１記載の補強土構造物は、請求項１〜１０のいずれかに記載の補強土構造物において、横方向に隣接する壁面ブロックとして、盛土補強材の連結された壁面ブロックと盛土補強材の連結されない壁面ブロックが積層されてなることを特徴するものである。
【００３５】
請求項１２記載の補強土構造物は、請求項１〜１１のいずれかに記載の補強土構造物において、盛土補強材は、各上下壁面ブロック間に埋設されてなることを特徴とするものである。
【００３６】
請求項１３記載の補強土構造物は、請求項１〜１２のいずれかに記載の補強土構造物において、盛土補強材は盛土内部の定着領域まで設置されている盛土補強材と壁面ブロックの背部付近に埋設された盛土補強材とからなることを特徴とするものである。
【００３７】
請求項１４記載の補強土構造物は、請求項１〜１３のいずれかに記載の補強土構造物において、盛土補強材は、壁面ブロックに設けられた溝部に挿入することにより壁体に連結されてなることを特徴とするものである。
【００３８】
請求項１５記載の補強土構造物は、請求項１〜１４のいずれかに記載の補強土構造物において、盛土補強材は、壁面ブロックに直接または連結金具を介して連結してなることを特徴とするものである。
【００３９】
請求項１６記載の補強土構造物は、請求項１〜１５のいずれかに記載の補強土構造物において、盛土補強材の両端のうち少なくとも一端はＬ型に形成され、壁面ブロックまたは支圧ブロックの溝部または孔に定着されてなることを特徴とするものである。
【００４０】
請求項１７記載の補強土構造物は、請求項１〜１６のいずれかに記載の補強土構造物において、盛土補強材は少なくとも亜鉛メッキ、合成樹脂被覆または合成樹脂保護管防食処理が施されてなることを特徴とするものである。
【００４１】
請求項１８記載の補強土構造物は、請求項１〜１７のいずれかに記載の補強土構造物において、壁面ブロックはセットバックさせて積層してなることを特徴とするものである。
【００４２】
請求項１９記載の補強土構造物は、請求項１〜１８のいずれかに記載の補強土構造物において、壁面ブロックは定着溝を有することを特徴とするものである。
【００４３】
請求項２０記載の補強土構造物は、請求項１〜１９のいずれかに記載の補強土構造物において、壁面ブロックは左右隣接する溝をなし、該連結溝に左右隣接する壁面ブロックにまたがって連結棒を挿入してなることを特徴とするものである。
【００４４】
請求項２１記載の補強土構造物は、請求項１〜２０のいずれかに記載の補強土構造物において、壁面ブロックはやぶれ目地に積層してなることを特徴とするものである。
【００４５】
請求項２２記載の補強土構造物は、請求項１〜２１のいずれかに記載の補強土構造物において、盛土補強材の一端は壁面ブロックの溝部または孔内に固結材によって定着されてなることを特徴とするものである。
【００４６】
請求項２３記載の補強土構造物は、請求項１〜２２のいずれかに記載の補強土構造物において、盛土補強材の他端は支圧ブロックの溝部または孔内に固結材によって定着されてなることを特徴とするものである。
【００４７】
請求項２４記載の補強土構造物は、請求項１〜２３のいずれかに記載の補強土構造物において、階段状に積層した壁面ブロックによる壁面の間の盛土内に植裁を施してなることを特徴とするものである。
【００４８】
請求項２５記載の補強土構造物は、請求項１〜２４のいずれかに記載の補強土構造物において、盛土補強材の他端は地山、コンクリート構造物またはモルタル吹付層の孔内に固結材によって定着されてなることを特徴とするものである。
【００４９】
請求項２６記載の壁面ブロックは、請求項１〜２５のいずれかに記載の補強土構造物に用いられる壁面ブロックにおいて、表面フランジと背面フランジとウェブ、または表面フランジとウェブとから形成されていることを特徴とするものである。
【００５０】
請求項２７記載の壁面ブロックは、請求項２６記載の壁面ブロックにおいて、植栽用空洞部が設けられていることを特徴とするものである。
【００５１】
本願発明の原理を図２０（ａ）〜（ｄ）に基いて説明すると、壁面ブロックとして複数の壁面ブロックを積層して構築された壁面は、横方向には撓み性であるため、背部に充填された盛土による背面土圧は低減され、水平方向の変位に対し破壊されにくいという利点がある。
【００５２】
しかし、図２０（ａ），（ｂ）に図示するように、壁面ブロック１の背部に盛土２として砂やそれより細かい現地発生材を充填した場合、壁面ブロック１そのものは剛体であるのに対し、盛土２は時間の経過とともに徐々に沈下するため、壁面ブロック１と盛土２との間に相対変位が生ずる。
【００５３】
このため、盛土２内に埋設された盛土補強材３には、壁面ブロック１近くの２０ｃｍ〜１００ｃｍ位の位置で急角度の大きな曲げモーメントＭ１　が発生することがわかった。特に金属製の盛土補強材３の場合、或いは金属製の連結部材の場合、剛性が　大きいため曲げ変形によって降伏値に達すると、補強土構造物の全体に大きな危険が発生する。
【００５４】
これに対して、図２０（ｃ），（ｄ）に図示するように、壁面ブロック１背部（通常は２０ｃｍ〜１００ｃｍ程度あればよい）に、盛土２ａとして沈下しにくいが、ある程度の沈下を許容する砕石または礫を充填すると、盛土２の沈下にともなって盛土補強材３が変形したとしても、ブロックの直近では殆ど水平を維持し、盛土補強材３に発生する曲げモーメントＭ２は小さく、盛土補強材３はゆるやかに変形するのみで、大きな曲げ変形による盛土補強材の破壊は生じない。また、連結部が破損することもない。
【００５５】
この結果、水平方向にも鉛直方向の盛土の変位に対しても金属製の盛土補強材は破壊しにくく、またブロック変位のしにくい補強土構造物とすることができる。
【００５６】
また、金属製の盛土補強材は剛性が大きいので、盛土補強材のブロック近くで発生する曲げ変形が過大になると、壁面ブロックは外側への力を受け、このため盛土補強材の連結されていない壁面ブロックが移動しやすいという課題がある。
【００５７】
従来、補強土構造物は、盛土補強材に発生する曲げ応力は、すべり面付近で最大になると考えられていた。
【００５８】
しかし、実際には、壁面ブロックから２０ｃｍ〜１００ｃｍより壁面側の範囲で最大になることがわかった。この曲げモーメントを低減するには、図２０（ｃ），（ｄ）に示すように、壁面ブロックの壁体背面からその２０ｃｍ〜１００ｃｍまでの範囲には特に礫や砕石を充填して地盤の剛性を高くすることにより曲げモーメントを低減することができることがわかった。
【００５９】
この結果、ブロック式補強土構造物において、金属製の盛土補強材による伸びが小さいく、壁面が壊れにくく壁面変位の少ない長所を有しながら背面の盛土材の圧縮によって盛土補強材の曲げモーメントが大きくなることによる欠点を解決し、曲げモーメントが小さい値で分布することにより、沈下性の大きい現場発生材を用いても壁面変位が少なく、かつ安全なブロック式補強土構造を完成したものである。
【００６０】
いずれの補強土構造物においても、壁面ブロックとしては、少なくともそのままでも自立できるような形状であれば、特に形状は限定されるものではなく、また盛土補強材としては、帯鋼や形鋼などの鋼材、あるいは鉄筋などの鋼棒や鋼棒を組み合わせた鉄筋メッシュなどを使用することができる。また、盛土補強材は壁面ブロックの背面部または上端部に直接または定着金具や連結キーなどを介して間接的に連結されていてもよい。
【００６１】
また、壁面ブロックを積層する場合、例えば横方向に隣接する各段の壁面ブロック間の目地部が上下方向に連続しないで左右に交互にずれる、いわゆる「やぶれ目地」となるように、各段の壁面ブロックを積層し、これに伴い各段の壁面ブロックの上端部に突設された突起部が、その上側に積層された壁面ブロック間に設けられた各空洞部とそれぞれ係合することで、上下壁面ブロックどうしを、突起部と空洞部が係合する、いわゆる「インターロッキング方式」によって横ずれしないように、また上下の壁面ブロック層が前後にずれないように接合することができる。
【００６２】
また、盛土補強材の壁面側の端部を壁面ブロックの溝または孔に挿入し、その上に壁面ブロックを重ねることにより盛土補強材をインターロッキングで壁面に連結することがてきる。
【００６３】
このように壁面ブロックどうしを、あるいは壁面ブロックと盛土補強材をインターロッキングで組み合わせることにより背面土圧や地盤荷重に対してわずかの変位を許容しながら各部材が外れにくい構造となっているため、１つの壁面にも、盛土補強材の連結部においても応力が集中しにくく、しかも破壊しにくい構造となる。
【００６４】
【発明の実施の形態】
図１〜図３は、道路や敷地などに面する擁壁として構築された補強土構造物の一例を示し、図において、符号１は擁壁の壁体Ａを構成すべく複数段に積層されたコンクリート壁面ブロック（以下「壁面ブロック」という）、２は壁体Ａの背部に充填された盛土、３は盛土２および後述する礫または砕石２ａ（以下、「砕石２ａ」という）の安定と強度を高めるとともに各壁面ブロック１を固定するために盛土２および砕石２ａ内に複数層に埋設された盛土補強材である。
【００６５】
また、特に符号２ａは、壁面ブロック１近傍の背部、および隣接する壁面ブロック１，１間の空洞部４内に充填された、盛土２より粒子の大きい砕石や礫が用いられている。なお、盛土２には現地発生材が用いられている。
【００６６】
そして、符号５は盛土補強材３の引き抜きに対する抵抗力を高めるために、盛土２内に盛土補強材３のアンカー部材として埋設されたコンクリート支圧ブロック（以下「支圧ブロック」という）である。
【００６７】
壁面ブロック１と支圧ブロック５には抵抗部材として鉄筋（後述する鉄筋１ｈおよび５ｂ）を埋め込むことで、盛土補強材３の引き抜き力Ｐ対する引張り強度が付与されている。また、図１に示す盛土盛土補強材３の末端部３ｂに支圧ブロック５との定着部としてＬ形状のフックが形成され、先端部３ａには壁面ブロック１との定着部としてＬ形状またはＴ形状のフックが突設されている。
【００６８】
特に、末端部３ｂのフックは現場において支圧ブロック５の孔５ａに挿入され、かつその後から早強セメントまたは接着材系の固結材６を充填することにより定着されている。
【００６９】
このように、支圧ブロック５と盛土補強材３とを連結する場合、従来技術の薄型鉄板からなる支圧プレートのようにナットを用いて固結する必要がない。薄型鉄板を支圧プレートとして用いた場合、支圧プレートを盛土２内に垂直にセットすることが困難であり、またボルトで螺着することより壁面と支圧プレートとの間隔が変動し、正確な長さに調整しにくい等の問題がある。
【００７０】
また、防食のための棒状補強材にはメッキ処理がなされるが、ナットで螺着するため、盛土補強材の端部、すなわち壁面側や支圧板側に溝切りを設けるが、盛土補強材の溝にメッキが埋まって螺着の際にに合わない場合が多くトラブルの原因となる。
【００７１】
このようにナットを螺着することなく、盛土補強材３を壁面ブロック１並びに／または支圧ブロック５に連結する方式は、施工性に優れているのみならず防食性に優れた補強土構造物を可能にする。
【００７２】
なお、盛土補強材３を螺着する事なく連結する補強土構造の例としては、図１、図２、図４〜６（ｃ）（ｈ）、図７〜図１１、図１５〜図１７、および図１９〜図２２に示している。
【００７３】
金属製の盛土補強材の防食処理としては、亜鉛メッキ、合成樹脂被覆または合成樹脂管などを一種または複数種使用する。例えば、亜鉛メッキは溶融亜鉛メッキをＪＩＳＨ８６４１，ＨＤＺ５５又はＪＩＳＨ８４６１，ＨＤＺ４５の規定によって行う。
【００７４】
また、合成樹脂被覆としては、エポキシ樹脂や高密度ポリエチレン樹脂の被覆を鉄筋（盛土補強材）に直接、あるいは亜鉛メッキをした鉄筋（盛土補強材）の表面に形成する。その他鉄筋または上記被覆処理を行った鉄筋を合成樹脂の管状体の中に挿入して過熱して収縮させて管状体を密着させる等の方法により、さらに防食効果を上げることができる。
【００７５】
ところが、このように防食処理をしても螺着する場合はこれらの防食処理層を被覆して溝を形成しなければならず、さりとてあらかじめ形成した溝の上に防食処理することも困難である。螺着する場合はこれらの防食処理を破ることになり、その部分から腐食がはじまることになりやすい。
【００７６】
本願発明のように螺着することなく盛土補強材を壁面ブロック並びに／または支圧ブロックに連結する方式では完全な防食効果を得る補強土構造が可能になる。
【００７７】
従来、亜鉛メッキはＰＨが５〜９付近の土質以外は防食効果が小さいと考えられていたため、補強土に適用できる土は限られてきたし、また盛土補強材は鉄道に用いた場合の迷送電流による腐食が問題になっていた。
【００７８】
しかしこのような盛土補強材を用いることで、盛土としてＰＨが中性領域の砂質土のみならず、酸性土やアルカリ質の現場発生材を用いることができる。
【００７９】
このように螺着することなく盛土補強材を壁面ブロックおよび／または支圧ブロックに連結して、施工時にも施工後も安定で、特に固結物材が最終固化に至るまでに盛土層が転圧や壁面ブロックの積み重ねが可能なためには、壁面ブロックの背面に砕石や礫を所定厚さに充填することで、変位を生じなくしたことによって可能なのである。
【００８０】
それに対し、図１に図示するような支圧ブロック５を用いると、盛土補強材３をそのまま挿入すればよく、また支圧ブロック５は自立し、かつ盛土補強材３がメジャーの働きをするため、正確な施工が可能となり、変位の少ない補強土壁を構築できるという利点がある。
【００８１】
また、図４と図５に図示する盛土補強材３と壁面ブロック１および支圧ブロック５との連結も同様に、それぞれ先端部３ａと末端部３ｂのフックの部分が壁面ブロック１と支圧ブロック５に固結材によって定着できる。
【００８２】
また、図４（ｅ）（ｄ）はフックのない棒状補強材の両端を壁面ブロック１と支圧ブロック５に設けた孔内に固結材によって定着した例である。
【００８３】
壁面ブロック１は、例えば図２（ａ）に図示するように表面フランジ１ａ、背面フランジ１ｂおよびウェブ１ｃをそれぞれ有し、そのままでもきわめて安定して自立できる平面ほぼＨ形状（または１形状）に一体的に形成されている。
【００８４】
表面フランジ１ａとウェブ１ｃの各上端部に定着用溝１ｄがそれぞれ形成され、定着用溝１ｄは表面フランジ１ａとウェブ１ｃの上端部にそれぞれの長手方向に連続し、かつＴ字状に１本の溝に連続して形成されている。また、ウェブ１ｃの上端部に突起１ｅが形成されている。
【００８５】
本願発明の補強土構造物において、壁面ブロック１は一般に運搬などの取り扱い易さ、施工性などを考慮して通常、高さｈが２０〜６０ｃｍ、幅ｗが３０〜１００ｃｍ、奥行きｄが２０〜６０ｃｍ程度の大きさに、さらに重さが２０〜１５０Ｋｇ程度の重量に形成されており、それ自体自立性を有している。
【００８６】
また、壁面ブロック１は自立性を保ちながら軽量化を図るために、例えば表面フランジとウェブを組み合わせたり、背面フランジを設けたり、あるいは中抜きした形状に形成されている。
【００８７】
また、壁面ブロック１には乾式ブロックが用いられ、乾式ブロックは即時脱型により一つの型枠で連続的に製造できるため、大量のブロックを短期間に製造できる。また、脱型した直後、柔らかい表面を刃物で割裂して加工することができるため、環境にやさく、しかも自然景観になじみやすい壁面Ａを形成することができる。
【００８８】
このように形成された壁面ブロック１は横方向に互いに隣接させ、かつ複数段に積層されている。また、必要に応じて例えば図３に図示するように各段または数段おきに壁面ブロック１を後退させることにより階段状に積層されている。
【００８９】
この場合、本願発明の補強土構造が安定を維持するための壁面ブロック１の大きさと砕石層（礫層）の厚さと盛土補強材３の連結されている壁面ブロック１と連結されていない壁面ブロック１の関係、並びにセットバックの長さの関係の好ましい例を図２１、図２２に示す。
【００９０】
図において、壁面ブロック１の奥行きをｗ０　、礫または砕石の層の厚さをｗ１　、ｗ０　＋ｗ１　＝ｗ、盛土補強材３が接触または連結している壁面ブロック１の上面と下面の間の高さを△Ｈ、同じくその間のセットバックの量をｗ２　、盛補強材３が接触または連結された壁面ブロック１の間にあって接触も連結もしていない壁面ブロック１の数をｍとしたとき、△Ｈ：ｗ２　＝１：０〜Ｈ：ｗ０　，０≦ｍ２　≦２、ただし、ｗ≧４０ｃｍ　ｗ０　≧２０ｃｍ、　ｗ１　≧２０ｃｍであることが本願発明の補強土構造が安定である上で好ましい。
【００９１】
ここで、図２１（ｄ）は壁面ブロック１と盛土補強材３の数は１：　１の対応でないから盛土補強材３が連結されていない壁面ブロック１が１層存在している壁面とみなす。また、上記において便宜上盛土補強材３が接触している、連結していないブロックに分けたが、本発明においては盛土補強材が接触している場合と連結していることとは同じとみなす。
【００９２】
図２１，　図２２において、金属製の盛土補強材３は摩擦力、あるいはインターロッキングにより一体となるため、砕石（または礫）にも破損することなくかつ伸びも殆どないため、壁面ブロックと砕石（礫）層と盛土補強材で囲まれたＡ−Ｂ−Ｄ−Ｃは１つのブロックと類似のように挙動する。
【００９３】
しかし、ｍが２よりも厚くなると背面土圧や地震動により盛土補強材が連結されていない壁面ブロックが外部にすべり出す危険性を生ずる。△Ｈ：ｗ２　＝１：０の場合は直立壁面である。
【００９４】
△Ｈ：ｗ２　＝△Ｈ：ｗ０　の場合はセットバックの最大値である。この場合、砕石層（礫層）の厚さが２０ｃｍ以上あるため、大きなセットバックにもかかわらず、安定を保ち得る。このため、本願発明の補強材壁は直立から△Ｈ：ｗ０　まで勾配を巾広くとることができるため、圧迫感がなく景観を考慮した最適の勾配をまた　　してしかも安定した構造が可能になる。△Ｈ：ｗ０　よりも勾配がゆるくなると安定が不安定になる。
【００９５】
この場合、各段の横方向に隣接する壁面ブロック１，１間には双方の表面フランジ１ａと背面フランジ１ｂとウェブ１ｃとからなる空洞部４が形成され、各空洞部４内に砕石２ａが充填されている。
【００９６】
なお、空洞部４内には、盛土２の他、れきまたは固結材、あるいはブロックを充填することにより左右および上下の壁面ブロック１，１どうしを一体化させることができる。
【００９７】
また、特に図１（ｃ）の例で明らかな様に、壁面ブロック１と盛土２との間に砕石２ａを一定範囲に渡り充填されている。この場合、壁面ブロック１を多数組み合わせた壁体Ａは、横方向には撓み性を有するため、背面土圧が低減され、かつ水平方向の変位に対し破壊されにくいという利点がある。
【００９８】
一般に、壁面ブロック１そのものは剛体であるのに対し、盛土２は時間の経過とともに沈下するため、壁面ブロック１と盛土２との間に相対変位が生ずる。このため、盛土２内に埋設された盛土補強材３、あるいは盛土補強材３を壁面ブロック１に連結すべく壁面ブロック１の背部に突設された連結金具（図省略）には、壁面ブロック１近くの背部において、例えば図２（ｄ）に図示するように、盛土補強材３が下側に大きくたわむような大きな曲げモーメントが発生する。
【００９９】
特に盛土補強材３と連結金具が金属製の場合、これらの部材が曲げ変形によって降伏値に達し、壁体Ａが大きな危険にさらされるおそれがある。
【０１００】
これに対し、図１（ｃ）のように壁面ブロック１の背部に、盛土２より粒子の大きい砕石２ａとして、ある程度の変位は許容する砕石が一定範囲に渡って充填されていることで、盛土２の沈下が原因で、盛土補強材３が変形したとしても壁面ブロック１のごく近くでは、図２（ｃ）に図示するよに、盛土補強材３は殆ど水平性を維持し、盛土補強材３の全体がゆるやかに曲げ変形するのみで、したがって大きな曲げ変形によって盛土補強材３が破壊することはない。
【０１０１】
また、盛土補強材３と壁面ブロック１との連結部に異常な応力が発生しにくく、連結部が破壊することはない。
【０１０２】
この結果、水平方向および鉛直方向の盛土２の変位にも金属製の盛土補強材３が破壊しにくい補強土構造の構築が可能となる。
【０１０３】
また、各段の壁面ブロック１は、例えば図１（ａ）に図示するように横方向に隣接する表面フランジ１ａ，１ａ間の縦目地ａが上下方向に連続しないで左右に交互にずれる、いわゆる「やぶれ目地」となるように積層され、これに伴い各段の壁面ブロック１の突起１ｅはその上の段の隣接する壁面ブロック１，１間の空洞部５と嵌合することで、上下および横方向に隣接する壁面ブロック１どうしは、各壁面ブロック１の突起１ｅと空洞部４とが嵌合するインターロッキングによって互いに組み合わされている。
【０１０４】
盛土補強材３は、盛土２および砕石２ａ内に水平に連続して埋設され、その一端側（壁面ブロック側）は壁面ブロック１に定着され、その他端側（支圧ブロック側）は支圧ブロック５に定着されている。
【０１０５】
盛土補強材３には丸鋼や異形棒鋼などの鉄筋バーまたは鋼棒などの棒状部材が用いられ、表面に亜鉛メッキ、合成樹脂によるシール被覆、塗装被覆または合成樹脂管による被覆などが施されている。また、盛土補強材３としては他に、帯状補強材、金属製ネット、ジオテキスタイル等が用いられる場合もある。
【０１０６】
亜鉛メッキされた盛土補強材３は、ＰＨが５〜９程度の壁面に壁面には、錆効果がすぐれているが、酸性、アルカリ性下においては効果が減少する。
【０１０７】
しかし、盛土補強材３の表面を亜鉛メッキの上に、さらに合成樹脂で被覆した場合の防食効果はきわめて大きく、盛土２として酸性土の高い現場発生材を用いた場合だけでなく、石灰質土のようなアルカリ性土を使用した場合のいずれの場合に対しても対処することができる。なお、盛土補強材３の表面を亜鉛メッキした上にシール被覆するとその防食効果はより高められる。
【０１０８】
また、盛土補強材３の先端部（壁面ブロック側）３ａには、定着部として例えば図１（ａ）に図示するように平面ほぼＬ字状またはＴ字状のフックが形成されており、フックは壁面ブロック１の表面フランジ１ａおよびウェブ１ｃの定着用溝１ｄ内に挿入することにより定着されている。
【０１０９】
また、必要に応じて定着用溝１ｄ内にコンクリートやモルタル、またはエポキシ樹脂などの固結材６を充填することにより定着用溝１ｄ内にフックが定着されている。
【０１１０】
このようにして盛土補強材３の先端部３ａ側のフックが壁面ブロック１の定着用溝１ｄ内に定着されていることで、フックは上側の壁面ブロック１の重量で拘束され、しかも定着用溝１ｄ内の周面との摩擦によって引き抜かれる心配がないため、盛土補強材３のフックは上下の壁面ブロック１，１間に確実かつ強固に定着されている。このような構造は壁面ブロック１同士がインターロッキングによって組み合わされた壁体を構成し、かつ盛土補強材３は壁面ブロック１とインターロッキングで連結した構造といえる。
【０１１１】
さらに、盛土補強材３の先端部３ａは横方向に隣接する２〜３個、あるいはそれ以上の壁面ブロック１の定着用溝１ｄ間に跨がって定着されていることで、一本の盛土補強材３で横方向に隣接する複数の壁面ブロック１を同時に固定することができるため、きわめて経済的であり、また施工性が著しく向上する。
【０１１２】
また、盛土補強材３のフックが定着用溝１ｄ内で安定していることで、その上側に位置する壁面ブロック１が土圧あるいは地震荷重による応力集中で前にずれたとしても、その下側の壁面ブロック１の定着用溝１ｄ内のフックは連結されたままで破壊されることがなく、むしろ壁面ブロック１が前に移動することで土圧による応力集中が緩和されて安定した土留め擁壁を保ち続けることができる。
【０１１３】
また、後述する図６（ａ）、（ｂ）に図示する壁面ブロックの場合、積層された上下壁面ブロック１，１のキー１ｊとキー孔１ｋとが係合することにより、壁面ブロック１のずれをある範囲内におさえるため、一部の壁面ブロックがずれて外れてしまうような壁面ブロック１の大きなずれ、および崩壊を未然に防止することができる。
【０１１４】
一方、盛土補強材３の末端部３ｂ（支圧ブロック４側）は盛土２内を水平に延長され、かつ支圧ブロック５の上端部のほぼ中央に形成された定着用孔５ａに定着されている。
【０１１５】
この場合、盛土補強材３の末端部３ｂには真下に略直角に突出する定着部としてフックが形成され、フックは定着用孔５ａ内に挿入され、かつその周囲に早強性のコンクリートやモルタル、またはエポキシ樹脂などの固結材６が充填されている。
【０１１６】
また、支圧ブロック４の特に定着用孔４ａの近傍には、例えば図１（ｂ）に図示するように、盛土補強材３の引き抜き力Ｐが作用しても、支圧ブロック５がせん断破壊しないように抵抗部材として鉄筋５ｂが水平に埋設され、この鉄筋５ｂがフック３ｂを介して作用する盛土補強材３の引き抜き力Ｐによる支圧ブロック５の破壊作用に強力に抵抗するようになっている。支圧ブロック５には壁面ブロック１と同様に乾式ブロックが用いられている。
【０１１７】
また、盛土補強材３は、各段の壁面ブロック１に作用する盛土２からの土圧に対して充分な引き抜き抵抗力が得られれば、格段ごとまたは各列ごとに布設される必要はなく、複数段おきまたは複数列おきに布設されていてもよい。むしろ、盛土補強材３は少ないほうが経済的であり、また盛土２の充填および転圧に際して邪魔にならず、施工する上でも望ましい。
【０１１８】
この場合の例としては、各段の横方向に隣接する壁面ブロック１として、盛土補強材３の連結された壁面ブロック１と補強材３の連結されていない壁面ブロック１が一段おきまたは数段おきに積層されている場合がある。
【０１１９】
また、上下方向に隣接する壁面ブロック１としては、盛土補強材３が連結されている壁面ブロック１と盛土補強材３の連結されていない壁面ブロック１が一列おきまたは数列おきに積層されている場合がある。
【０１２０】
また、図４に図示する例においては、壁面ブロック１の定着用溝１ｄは表面フランジ１ａの中央からウェブ１ｃ、さら背面フランジ１ｂに渡って直線状に１本の溝に連続して形成されている。また、定着用溝１ｄの先端部（表面フランジ１ａの中央）に定着用孔１ｇが形成されている。
【０１２１】
また、盛土補強材３の引抜き力Ｐが作用しても、壁面ブロックがせん断破壊しないように抵抗部材として鉄筋１ｈが、定着用孔１ｇの背面側（ウェブ１ｃ側）に水平に埋設されている。鉄筋１ｈは少なくとも一段、必要に応じて複数段に水平に埋設されている。
【０１２２】
なお、盛土補強材３が連結されていない壁面ブロック１においても、鉄筋１ｈを埋設することにより土圧や地震などの荷重に対して破壊されにくい壁面を形成するので、ブロックとして用いることができる。一方、盛土補強材３の先端側（壁面ブロック側）には定着部として真下に略垂直に突出するＬ字状のフックが形成されている。そして、盛土補強材３の先端部３ａ側は、フックの水平部分を定着用溝１ｄに挿入するとともに先端部３ａ側のフックの垂直部分を定着用孔１ｇに挿入することにより壁面ブロック１に定着されている。
【０１２３】
図５に図示する例においては、特に壁面ブロック１が表面フランジ１ａとその背面側に並列に突設された複数のウェブ１ｃ，１ｃとから形成され、かつ表面フランジ１ａの上端部の略中央に定着用孔１ｇが形成されている。
【０１２４】
一方、盛土補強材３の先端部３ａ側には、定着部として真下に略垂直に突出するＬ字状のフックが形成されている。そして、フックを定着用孔１ｇに挿入することにより、盛土補強材３の先端側が壁面ブロック１に定着されている。
【０１２５】
なお、図５（ｂ）は、盛土補強材３の引抜き力Ｐが作用しても、壁面ブロック１がせん断破壊しないように抵抗部材として鉄筋１ｈが、定着用孔１ｇの背面側（ウェブ１ｃ側）に水平に埋設されている例を示したもので、このように鉄筋１ｈが埋設されていることで、盛土補強材３に作用する引抜き力Ｐによって壁面ブロック１がせん断破壊することはない。
【０１２６】
このことは、図４に示した支圧ブロック５の場合も同じで、抵抗部材として鉄筋５ｂが設置されている場合で、鉄筋５ｂが支圧ブロック５の盛土２側に設置されていることで、係るせん断破壊を未然に防止することができる。
【０１２７】
なお、盛土補強材３の末端を支圧ブロック５に連結する方法として、特に図示しないが、盛土補強材３の末端を支圧ブロックに貫通させ、その貫通部分にナットを螺合する方法によっても同様の効果がある。
【０１２８】
従来、補強土構造物の壁面材として用いられる壁面パネルや壁面ブロックは、セメントと骨材と水とからなる流動性の硬化性材料を型枠内に鉄筋を配筋した後から流し込み、振動を加えて充分に締め固めた後、型枠とともに養生し、そして硬化後脱型する工程で製造する、いわゆる湿式法によって成形されている。
【０１２９】
これに対して、近年、セメントと骨材にわずかの水を加えてスランプが殆どゼロの粉状の硬化性材料を外型枠内に充填し、振動加圧しながら内型枠で圧縮成形した後、直ちに脱型して養生する乾式公報によって成形されたブロックが補強土工法の壁面ブロックとして用いられるようになってきた。
【０１３０】
この方式は、同じブロック成型型枠を用いてブロックの製造を連続的に行うことができ、しかも養生期間が短いため、短期間でのブロックの製造が可能であるものの、乾式ブロックではコンクリート内に補強部材、連結部材または抵抗部材として鉄筋が配筋されないため、引張りや曲げに対する強度がほとんど期待できず、このため、全体の大きさを小さくして曲げの生じにくいような形状にせざるを得ないものであった。
【０１３１】
本願発明は、乾式ブロックの利点を生かしながら引張り力などの外力が作用しても、せん断破壊の生じにくい乾式ブロックを補強土構造物の壁面ブロック１と支圧ブロック５として用いることとしたものである。
【０１３２】
これにより、交通荷重や衝撃、さらには地震荷重によって破壊されにくい乾式ブロックを、また引張り部材や連結金具の端部を強固に挿入した乾式ブロックを開発し、それによって乾式ブロックの適用分野を大幅に拡大することを可能にした。
【０１３３】
ここで、乾式ブロックの組成物には、セメントと骨材と水とからなるスランプが殆どゼロの混合物が用いられている。例えば、水セメント比が３９％、セメント量が４００Ｋｇ、粗骨材（１００ｍ以下）が５０％、細骨材が（２ｍｍ以下）でスランプをゼロとすると、４００Ｋｇ／ｃｍ２　強度の乾式ブロックを得ることができる。
【０１３４】
図６（ａ）〜（ｈ）は、乾式ブロックで成形された壁面ブロックの一例を示し、特に６（ａ）、（ｅ）、（ｆ）、（ｇ）に図示する壁面ブロックにおいて符号１ｊと１ｋは上下ブロックを重ねて一体化させるためのためのキーとキー孔であるが、このキー１ｊは上述した方法によって乾式ブロックの製造時に直接埋め込むことができ、このキー１ｊとキー孔１ｋとを係合させることで強固なブロック壁体を構築することができる。
【０１３５】
図６（ｃ）では突起１ｅがキーと同様の効果を有し、また図６（ｈ）は、盛土補強材３として設置された金網の一端をブロック１の定着用溝ｄに嵌め込む構造であるが、鉄筋１ｈが埋め込まれていることで、盛土補強材３に引っ張り力が作用しても壁面ブロック１がは破壊されることはない。
【０１３６】
なお、この場合の壁面ブロックとして、引張力などの外力が作用する領域に鉄筋などの棒状部材を設置する代わりに、合成繊維などの補強繊維を混入して成形された乾式ブロックを用いることもできる。
【０１３７】
また、符号１ｍは表面フランジ１ａの上端部に形成された空洞部（客土充填用孔）であり、壁面を緑化する場合にこの客土充填用孔１ｍに植裁がなされる。
【０１３８】
また、図６（ｃ），（ｄ）は、積層された上下壁面ブロックどうしを上下または上下および左右に一体的に連結できるように形成された壁面ブロックを示し、図６（ｃ）の場合、表面フランジ１ａの上端部に連結溝１ｎが形成され、この連結溝１ｎに連結棒７が複数の壁面ブロック１，１間に跨がって係合されることで横方向に隣接する壁面ブロック１どうしが連結されるようになっている。この構造の別例を図６（ｉ）に示す。
【０１３９】
また図６（ｃ）と図６（ｉ）の例において、特に連結溝１ｎ内に連結棒７を挿入した後、連結溝１ｎ内に早強セメント等の固結材を充填すれば、壁面ブロック１どうしが一体に連結された壁面を形成することができる。
【０１４０】
さらに、図６（ｄ）の場合、各壁面ブロック１の表面フランジ１ａの上端部と下端部に互いに嵌合し合う嵌合突起１ｏと嵌合溝１ｐが形成され、この係合突起１ｏと係合溝１ｐが嵌合し合うことで積層された上下の壁面ブロック１どうしが上下および左右に連結されるようになっている。
【０１４１】
なお、補強材として炭素繊維や鋼繊維などの補強繊維を用いる場合、鉄筋を用いる場合よりも作業一性にすぐれているが、高価になる。しかし、本願発明によれば、すべての乾式ブロック組成分に繊維を混入しなくてもよく、例えば壁面ブロックや支圧ブロックの場合、或いは地山アンカーの反力板の場合、補強材からの引張力によって、或いはアーンカーからの引張力によってブロックの補強土側の面や反力板のアンカー則の面に引張力が生ずるため、その側に補強繊維を混合した乾式ブロック組成物とすればよい。同様の　　で支圧ブロックのみを鉄筋コンクリートブロックとしてもよい。
【０１４２】
図７（ａ）〜（ｃ）は、乾式の壁面ブロックは、Ｌ型またはＴ型補強材、または門型をセットする場合の応力が集中しやすい角部を鉄筋１ｈを鉛直に埋設して補強した構造を示す。
【０１４３】
また、図９は、左右の壁面ブロックを連結する連結部材８の両端８ａを壁面ブロック１の連結孔１ｑに挿入する場合、連結孔１たの内側に鉄筋１ｈが水平に埋設して補強した例を示したものである。
【０１４４】
図１０（ａ）、（ｂ）は、補強材３の定着部３ａを壁面ブロック１に定着する方法の他の例を示し、特に各壁面ブロック１の上端部に定着用溝を設ける代わりに、各壁面ブロック１の背面部に鉄筋などからなる輪環９を突設し、この輪環９に盛土補強材（棒状補強材）３の先端側の定着部３ａを水平に挿入することで、盛土補強材３の先端側が壁面ブロック１に定着されている。上記乾式壁面ブロックヘの輪環９の埋込みは上記の方法で行われる。
【０１４５】
図１１（ａ），（ｂ）は、同じく盛土補強材３の定着部３ａをコンクリートブロック１０に定着する方法の一例を示し、積層された上下コンクリートブロック１０、１０間にブロックどうしを連結するための連結部材として連結キー１１が設置され、この連結キー１１に盛土補強材３の先端側の定着部３ａが連結されている。
【０１４６】
図１２〜図１４は、特に乾式ブロックを補強土構造物の壁面ブロックや支圧ブロックとして用いる場合の、鉄筋バーや金網材などの盛土補強材３の定着方法を示したものである。
【０１４７】
図１２（ａ），（ｂ），（ｃ）の例においては、壁面ブロック１と支圧ブロック５に連結部材１２としてそれぞれ突設されたボルト部材や帯状部材に鉄筋バーや金網材などの盛土補強材３がターンバックル１３やボルト・ナット１４を介して連結されている。
【０１４８】
図１３（ａ），（ｂ）の例においては、壁面ブロック１に突設された連結部材１５に盛土補強材３としてジオテキスタイルが直接巻き付けることにより取り付けられている。さらに、図１４（ａ），（ｂ），（ｃ）の例においては、壁面ブロック１に形成された定着孔１ｓまたは定着溝１ｔ内に補強材３として鉄筋バーや帯鋼材などの端部が固結材によって定着されている。
【０１４９】
図１５（ａ）〜（ｃ）は、河川護岸壁として構築された補強土構造物の一例を示し、特に砕石層２ａの背部に土砂流出防止シート１６を埋設して盛土２の土粒子が水位の変動によって流出するのを防止したものである。
【０１５０】
この場合の土砂流出防止シート１６には、例えば高分子樹脂製のメッシュ状シート等が用いられ、各土砂流出防止シート１６は上下の盛土補強材３，３間に盛土２を壁面ブロック１の反対側方向に包み込むように埋設されている。
【０１５１】
また特に、図１５（ａ）の例では、盛土補強材３として支圧アンカーが用いられ、その自由端側は支圧ブロック５に定着されている。また、図１５（ｂ）の例においては、盛土補強材３として金属製メッシュが用いられ、さらに図１５（ｃ）の例においては、盛土補強材３に支圧アンカーが用いられ、盛土補強材３の全領域に礫または砕石２ａが充填され、その背部に土砂流出防止シート１６が埋設されている。
【０１５２】
図１６（ａ）〜（ｅ）は、盛土２内に盛土補強材３としてジオテキスタイルが複数層に埋設され、各盛土補強材３は砕石２ａ内に埋設された連結金具１７を介して壁面ブロック１に連結されている例を示したものである。
【０１５３】
なお、この場合の連結金具１７として金属製メッシュが用いられ、連結金具１７はその一端１７ａを壁面ブロック１の定着溝１ｄに挿入することにより連結されている。また、ジオテキスタイルの一端は連結金具１７の網目に鉄筋などからなる連結棒１８によって連結されている。
【０１５４】
このように構成されていることで、金属製メッシュは砕石の角部に当たっても破断する心配はない。また、金属製メッシュの曲げ剛性は大きいが、砕石層２ａも剛性が大きいので沈下は少ない。さらに、砕石が金属製メッシュの網目の中にくい込んで、ａ，ｂ，ｃ，ｄ，ｅ，ｆの部分が一体化するので、厚さの大きい土留め壁と作用し、盛土補強材３としてジオテキスタイルを用いていながら壁面を高くしても前方に傾くおそれのない、きわめて安定した補強土壁の構築が可能である。
【０１５５】
特に図１６（ｄ），（ｅ）の例においては、連結金具１９として鉄筋などから矩形状に形成された金属製枠材が用いられ、金属製枠材はその一辺１９ａを各壁面ブロック１の定着溝１ｄに挿入することにより壁面ブロック１に定着され、各ジオテキスタイルは金属製枠材の他辺１９ｂに巻き込んで連結されている。
【０１５６】
図１７（ａ），（ｂ）は、盛土２内に盛土補強材３としてジオテキスタイルが複数層に埋設され、また礫または砕石２ａ内に盛土補強材２０として金網などの剛性メッシュ材が埋設されている例を示したものである。この場合、ジオテキスタイルの一端側３ａは盛土２を包み込むようにＵ字状に巻き込んで定着され、盛土補強材２０は壁面ブロック１に連結されている。
【０１５７】
また特に図１７（ｂ）の例においては、各ジオテキスタイルの一端側３ａは盛土補強材２０に結束線やクリップ等の結束部材２０ａによって連結されている。
【０１５８】
図１８（ａ）〜（ｄ）は、特に盛土補強材として支圧アンカー３Ａと金属製メッシュ３Ｂが併用されている例を示したものであり、特に図１８（ａ）の例においては、支圧アンカー３Ａが連結されていない壁面ブロック１に金属製メッシュ３Ｂを連結して壁面ブロック１と砕石層２ａとの一体化を図って支圧アンカー３Ａの連結されていない壁面ブロック１の安定が図られている。なお、金属製メッシュ３Ｂの代わりにジオテキスタイルを用いてもよい。
【０１５９】
また、図１８（ｂ），（ｃ）の例においては、特に盛土層２および砕石層２ａの深い位置に支圧アンカー３Ａまたは金属製メッシュ３Ｂの一方が複数層に埋設され、浅い位置に支圧アンカー３Ａまたは金属製メッシュ３Ｂの他方が複数層に埋設され、かつ各支圧アンカー３Ａおよび金属製メッシュ３Ｂは壁面ブロック１にそれぞれ連結されている。
【０１６０】
このように支圧アンカー３Ａと金属製メッシュ３Ｂを併用して埋設することにより、すべり面の範囲を小さくすることにより、支圧アンカー３Ａおよび金属製メッシュ３Ｂの長さを短くする等、目的に応じて最適の設計を行うことができる。
【０１６１】
また、図１８（ｄ）の例においては、特に支圧アンカー３Ａと金属製メッシュ３Ｂを盛土２および砕石２ａ内に交互に埋設することによりａ，ｂ，ｃ，ｄ領域の盛土２を一体化することができる。
【０１６２】
図１９（ａ）〜（ｅ）は、橋脚などのコンクリート構造物や岩場などの表面を覆って景観に高めるため、あるいは老朽化したコンクリート構造物や劣化したモルタル吹付面上に構築された補強土構造物の一例を示し、コンクリート擁壁、モルタル被覆面、建物の壁面、あるいは岩場や地山を本願発明のブロック壁面を持つ補強土構造物で覆うことにより、乾式ブロックの持つ柔らかい感触の自然にやさしい景観を得ることができる。また、壁面ブロック１を階段状に積層し、その段差に植栽を施すことによって緑化を図ることができる。
【０１６３】
例えば、図１９（ａ），（ｂ）は、地山やモルタル吹付面Ｂの覆工例を示し、各盛土補強材３の自由端側は、地山またはモルタル吹付面Ｂにそれぞれ直接定着されている。また、図１９（ｃ）は、老朽化したコンクリート擁壁面Ｃの覆工例を示し、各盛土補強材３の自由端側は、コンクリート擁壁Ｃにアンカーされている。
【０１６４】
図１９（ｄ），（ｅ）は、建物のコンクリート壁面の覆工例を示したものである。図１９（ｂ），　（ｄ），　（ｅ）は盛土に階段上に積層した壁面ブロックからなる壁面の間の緑化した例を示したものである。また、図１９（ｃ）の例の場合、各壁面ブロック１に植裁用の空洞部（客土充填用孔）１ｍが設けられ、この空洞部１ｍ内に客土が充填され、かつ植裁が施されている。
【０１６５】
図２３は、壁体Ａ（壁面ブロック１）の背部、すなわち壁面ブロック１と砕石２ａとの間にコンクリートまたはソイルセメント２ｂの層を設けて壁面ブロック１同士および壁面ブロック１と盛土補強材３との一体化を図った例である。この場合、図２１、２２におけるΔＨ、ｗ０　，ｗ１　の関係では、ｗ０　を壁面ブロック１の奥行き（厚さ）とコンクリートまたはソイルセメント２ｂの層の厚さの和とを考えればよい。
【０１６６】
【発明の効果】
本願発明は以上説明したとおりであり、壁面ブロックと盛土との間の一定範囲（通常は壁面ブロック背面から２０ｃｍ〜１００ｃｍまでの厚さあればよい）に盛土として、特に沈下しにくいが、ある程度の沈下を許容する砕石または礫を充填することで、盛土の沈下にともなって盛土補強材が変形したとしても、壁面ブロックの背部では、金属製盛土補強材は殆ど水平を維持し、変形が非常に小さいので、盛土補強材に発生する曲げモーメントは小さく、大きな曲げ変形によって盛土補強材が破断したり、あるいは壁面ブロックがずれたりする等の問題を未然に防止することができる。
【０１６７】
よって、水平方向および鉛直方向の盛土の変位に対しても金属製の盛土補強材は非常に破断しにくく、壁面ブロックの変位のしにくい補強土構造物とすることができる。
【図面の簡単な説明】
【図１】（ａ）は、道路などに面する擁壁として構築された補強土構造物の一例を示す一部斜視図、（ｂ）はその一部平面図、（ｃ）はその縦断面図である。
【図２】（ａ）は壁面ブロック、支圧ブロックおよび盛土補強材の斜視図、（ｂ）は支圧ブロックの縦断面図、（ｃ），（ｄ）は補強土構造物の一部縦断面図、（ｅ）は支圧ブロックおよび盛土補強材の斜視図、（ｆ）は支圧ブロックの縦断面図である。
【図３】道路などに面する擁壁として構築された補強土構造物の一例を示す一部縦断面図である。
【図４】（ａ）は、道路などに面する擁壁として構築された補強土構造物の一例を示す一部平面図、（ｂ）は壁面ブロック、支圧ブロックおよび盛土補強材の斜視図、（ｃ）は盛土補強材の斜視図、（ｄ）は壁面ブロック、支圧ブロックおよび盛土補強材の断面図である。
【図５】（ａ）は、道路などに面する擁壁として構築された補強土構造物の一例を示す一部斜視図、（ｂ）は壁面ブロックおよび盛土補強材の一部斜視図である。
【図６】（ａ）〜（ｉ）は、壁面ブロックの他の例を示す斜視図である。
【図７】（ａ），（ｂ）は壁面ブロックと盛土補強材の斜視図、（ｃ）壁面ブロックの一部縦断面図である。
【図８】（ａ）は、道路などに面する擁壁として構築された補強土構造物の一例を示す一部平面図、（ｂ）は盛土補強材の斜視図である。
【図９】（ａ）は、道路などに面する擁壁として構築された補強土構造物の一例を示す一部平面図、（ｂ）は壁面ブロック、支圧ブロックおよび盛土補強材の斜視図である。
【図１０】（ａ）は壁面ブロック、支圧ブロックおよび盛土補強材の斜視図、（ｂ）は壁面ブロックおよび盛土補強材の斜視図である。
【図１１】（ａ）は、道路などに面する擁壁として構築された補強土構造物の一例を示す一部縦断面図、（ｂ）は盛土補強材の斜視図である。
【図１２】（ａ），（ｂ），（ｃ）は、壁面ブロック、支圧ブロックおよび盛土補強材の斜視図である。
【図１３】（ａ），（ｂ）は、壁面ブロック、盛土補強材の一例を示す斜視図である。
【図１４】（ａ），（ｂ），（ｃ）は、壁面ブロック、盛土補強材の一例を示す斜視図である。
【図１５】（ａ），（ｂ），（ｃ）は、道路などに面する擁壁として構築された補強土構造物の一例を示す縦断面図である。
【図１６】（ａ），（ｄ）は、道路などに面する擁壁として構築された補強土構造物の一例を示す縦断面図、（ｂ）は壁面ブロック、盛土補強材の側面図、（ｃ），（ｅ）はその一部斜視図である。
【図１７】（ａ），（ｂ）は、道路などに面する擁壁として構築された補強土構造物の一例を示す縦断面図である。
【図１８】（ａ）〜（ｄ）は、道路などに面する擁壁として構築された補強土構造物の一例を示す縦断面図である。
【図１９】（ａ）〜（ｅ）は、道路などに面する擁壁として構築された補強土構造物の一例を示す縦断面図である。
【図２０】（ａ）〜（ｄ）は、本願発明の原理を示す説明図である。
【図２１】（ａ）〜（ｄ）は、道路などに面する擁壁として構築された補強土構造物の一例を示す一部縦断面図である。
【図２２】（ａ），（ｂ）は、道路などに面する擁壁として構築された補強土構造物の一例を示す一部縦断面図である。
【図２３】道路などに面する擁壁として構築された補強土構造物の一例を示す一部縦断面図である。
【図２４】（ａ），（ｂ）は、道路などに面する擁壁として構築された従来の補強土構造物の一例を示す一部縦断面図である。
【図２５】道路などに面する擁壁として構築された従来の補強土構造物の一例を示す一部縦断面図である。
【符号の説明】
Ａ　擁壁の壁体
１　壁面ブロック（乾式ブロック）
２　盛土
２ａ　盛土（礫または砕石）
３　盛土補強材
４　空洞部
５　支圧ブロック（乾式ブロック）
６　固結材
【図１】
2004060220.tif 000003
【図２】
2004060220.tif 000004
【図３】
2004060220.tif 000005
【図４】
2004060220.tif 000006
【図５】
2004060220.tif 000007
【図６】
2004060220.tif 000008
【図７】
2004060220.tif 000009
【図８】
2004060220.tif 000010
【図９】
2004060220.tif 000011
【図１０】
2004060220.tif 000012
【図１１】
2004060220.tif 000013
【図１２】
2004060220.tif 000014
【図１３】
2004060220.tif 000015
【図１４】
2004060220.tif 000016
【図１５】
2004060220.tif 000017
【図１６】
2004060220.tif 000018
【図１７】
2004060220.tif 000019
【図１８】
2004060220.tif 000020
【図１９】
2004060220.tif 000021
【図２０】
2004060220.tif 000022
【図２１】
2004060220.tif 000023
【図２２】
2004060220.tif 000024
【図２３】
2004060220.tif 000025
【図２４】
2004060220.tif 000026
【図２５】
2004060220.tif 000027